(57)【要約】【課題】不使用時には折り畳んで小さくでき、使用時に組み立てて対象者を有効に隔離する組み立て式の隔離用フード装置を提供すること。【解決手段】隔離用フード装置１は、第１，２組み立て体１Ａ，１Ｂから構成され、前者１Ａは、マットＭ上に立設する支持板６とこれに固着された第１シート３とから構成され、後者１Ｂは、支持板６の弧状端部６ｂに留め金具８を介して着脱可能に接続される一端部９ａを有する可撓性の覆い板９と、これに固着された第２シート４とから構成されている。覆い板９は、不使用時には平坦であり、使用時に支持板６の弧状端部６ｂに留め金具８により一端部９ａを接続し、変形させて空間部１６を形成して対象者の胸部より上方部分を収容しかつ内部の空気を吸気装置５で排気陰圧にし、対象者およびその周囲を第１，２シート３，４で覆って隔離する。【選択図】      図１
2004344320.tif 000002
【特許請求の範囲】
【請求項１】
臥床に横たわる対象者の少なくとも頸部から上方の部分を覆うフード部と、前記フード部に着脱可能に取り付けられる吸気装置とを含む組み立て式の隔離用フード装置において、
前記隔離用フード装置が、第１組み立て体と、第２組み立て体とから構成され、  前記第１組み立て体が、前記臥床から立ち上がるように配置される支持板と、前記支持板の前記臥床に接する下端部に固着された第１シートとから構成され、
前記第２組み立て体が、前記第１組み立て体の前記支持板における前記下端部を除く周囲端部に連結手段を介して着脱可能に接続される一端部を有する可撓性の覆い板と、前記覆い板の前記一端部を除く周囲端部に固着された第２シートとから構成され、
前記フード部は、不使用時に平坦な前記覆い板を変形させて前記一端部を前記支持板の前記下端部を除く前記周囲端部に前記連結手段を介して接続することで前記支持板と前記覆い板とで空間部を画成し、前記臥床に横たわる前記対象者の少なくとも前記頸部より上方の前記部分を前記空間部に収容するとともに前記空間部内の空気を前記吸気装置で吸気して負圧にし、前記対象者の前記頸部より下方の部分と前記対象者の周囲とを前記第１，２シートで覆って隔離することを特徴とする組み立て式の隔離用フード装置。
【請求項２】
前記支持板が、ほぼ半円形の板状を呈し、前記支持板における前記下端部を除く前記周囲端部が弧状端部で形成され、該弧状端部に前記覆い板の前記一端部を接続して前記空間部を形成する請求項１に記載の組み立て式の隔離用フード装置。
【請求項３】
前記覆い板が、矩形状を呈し、前記一端部に対向する他端部には、前記覆い板の変形状態を維持し得るように塑性変形する部材が取り付けられている請求項２に記載の組み立て式の隔離用フード装置。
【請求項４】
前記連結手段が、係脱可能な雌雄一対の部材からなる留め金具で構成され、前記留め金具の雌部材および雄部材のいずれか一方が、相互に間隔をあけて前記支持板の前記下端部を除く前記周囲端部に複数設けられ、他方が、相互に間隔をあけて前記覆い板の前記一端部に複数設けられている請求項１〜３のいずれかに記載の組み立て式の隔離用フード装置。
【請求項５】
前記連結手段が、前記支持板の前記下端部を除く前記周囲端部および該周囲端部に重ねられる前記覆い板の前記一端部のいずれかに設けられた粘着剤で構成されている請求項１〜３のいずれかに記載の組み立て式の隔離用フード装置。
【請求項６】
前記支持板と前記覆い板とが、透光性の合成樹脂材料で形成されている請求項１〜５のいずれかに記載の組み立て式の隔離用フード装置。
【請求項７】
前記第１，２シートのいずれかに、相互に重なる合わせ部が形成されている請求項１〜６のいずれかに記載の組み立て式の隔離用フード装置。
【発明の詳細な説明】
【０００１】
【発明の属する技術分野】
本発明は、組み立て式の隔離用フード装置に関し、更に詳細には、例えば病室のベッドや病人を搬送するストレッチャーなどに設置して、該ベッドやストレッチャーに横たわる対象者のみを容易に隔離できる組み立て式の隔離用フード装置に関する。
【０００２】
【従来の技術】
感染症患者や放射性の塵埃を浴び、救護を必要とする対象者は、伝染性ウイルスや放射性の塵埃が病室外部へ拡散しないように病院等の隔離病棟に収容される。一般に、このような隔離病棟では、病室又は病棟内部の空気が外部に漏れないように吸気装置などによって陰圧（負圧）にされ、吸引された病室又は病院内部の空気は特殊なフィルターを介して排気されている。
【０００３】
現在、隔離を必要とする対象者を隔離病棟に収容するまでの搬送中には、該対象者のみを隔離する簡易な装置として特許文献１に開示された患者搬送装置が知られている。特許文献１に開示された患者搬送装置は、患者が横床するベッド部と、該ベッド部を覆うカプセル部と、ベッド部とカプセル部とを搭載して支持する本体部とを備え、本体部にはフィルター、ファン及び電源装置からなる換気装置が設置されていて、ベッド部は本体部に対して着脱可能であり、カプセル部は患者の身体を覆う主要部がベッド部から分離して本体部に対して長手方向へスライドして着脱可能となっているものであった。
【０００４】
【特許文献１】
特開２００２−１７７８４号公報
【０００５】
【発明が解決しようとする課題】
しかしながら、特許文献１に記載された患者搬送装置におけるカプセル部は、不使用時に折り畳んでコンパクトに収納したりすることはできず、使用時と同じ状態であるため、不使用時の保管に場所を取るなどの問題があった。特に、隔離が必要な患者を救急車などの搬送特殊車輌で輸送する場合には、予め、通常のストラクチャーに代えてこの患者搬送装置を載せ替えるか、或いはこのストラクチャーを台車として、これに患者搬送装置の本体部を取り付けて患者の所在場所に向かうようにしなければならず、救急車が患者の所在場所に到着してから隔離が必要と判断された場合には、患者を隔離しながら搬送することはできない、という問題があった。
【０００６】
本発明の目的は、かかる従来の問題点を解決するためになされたもので、不使用時はほぼ平坦に折り畳んで小さくしておき、使用時に組み立てて対象者を有効に隔離することができる組み立て式の隔離用フード装置を提供することにある。
【０００７】
【課題を解決するための手段】
上記した課題解決のために、本発明が対象とするのは、臥床に横たわる対象者の少なくとも頸部から上方の部分を覆うフード部と、前記フード部に着脱可能に取り付けられる吸気装置とを含む組み立て式の隔離用フード装置である。
【０００８】
かかる組み立て式の隔離用フード装置において、本発明が特徴とするところは、前記隔離用フード装置が、第１組み立て体と、第２組み立て体とから構成され、前記第１組み立て体が、前記臥床から立ち上がるように配置される支持板と、前記支持板の前記臥床に接する下端部に固着された第１シートとから構成され、前記第２組み立て体が、前記第１組み立て体の前記支持板における前記下端部を除く周囲端部に連結手段を介して着脱可能に接続される一端部を有する可撓性の覆い板と、前記覆い板の前記一端部を除く周囲端部に固着された第２シートとから構成され、前記フード部は、不使用時に平坦な前記覆い板を変形させて前記一端部を前記支持板の前記下端部を除く前記周囲端部に前記連結手段を介して接続することで前記支持板と前記覆い板とで空間部を画成し、前記臥床に横たわる前記対象者の少なくとも前記頸部より上方の前記部分を前記空間部に収容するとともに前記空間部内の空気を前記吸気装置で吸気して負圧にし、前記対象者の前記頸部より下方の部分と前記対象者の周囲とを前記第１，２シートで覆って隔離すること、である。
【０００９】
本発明に係る組み立て式の隔離用フード装置における好ましい一つの実施態様として、前記支持板が、ほぼ半円形の板状を呈し、前記支持板における前記下端部を除く前記周囲端部が弧状端部で形成され、該弧状端部に前記覆い板の前記一端部を接続して前記空間部を形成するとしたこと、である。
【００１０】
本発明に係る組み立て式の隔離用フード装置における好ましい他の実施態様として、前記覆い板が、矩形状を呈し、前記一端部に対向する他端部には、前記覆い板の変形状態を維持し得るように塑性変形する部材が取り付けられていること、である。
【００１１】
本発明に係る組み立て式の隔離用フード装置における好ましい他の実施態様として、前記連結手段が、係脱可能な雌雄一対の部材からなる留め金具で構成され、前記留め金具の雌部材および雄部材のいずれか一方が、相互に間隔をあけて前記支持板の前記下端部を除く前記周囲端部に複数設けられ、他方が、相互に間隔をあけて前記覆い板の前記一端部に複数設けられていること、である。
【００１２】
本発明に係る組み立て式の隔離用フード装置における好ましい他の実施態様として、前記連結手段が、前記支持板の前記下端部を除く前記周囲端部および該周囲端部に重ねられる前記覆い板の前記一端部のいずれかに設けられた粘着剤で構成されている、ことである。
【００１３】
本発明に係る組み立て式の隔離用フード装置における好ましい他の実施態様として、前記支持板と前記覆い板とが、透光性の合成樹脂材料で形成されている、ことである。
【００１４】
本発明に係る組み立て式の隔離用フード装置における好ましい更に他の実施態様として、前記第１，２シートのいずれかに、相互に重なる合わせ部が形成されている、ことである。
【００１５】
【発明の実施の形態】
以下、本発明に係る組み立て式の隔離用フード装置（以下、隔離用フード装置と称する）について添付図面を参照して詳細に説明すると、以下のとおりである。図１は、ベッドＢに寝かせた例えば感染症患者Ｋを隔離用フード装置１を用いて隔離している状態を示す斜視図、図２は、感染症患者ＫをストレッチャーＳに乗せて搬送する際に、隔離用フード装置１を用いて隔離している状態を示す側面図、図３は、隔離用フード装置１を組み立てる前の展開状態を示す斜視図である。
【００１６】
隔離用フード装置１は、ベッドＢのマットＭである臥床に横たわる対象者即ち感染症患者Ｋの胸部から上方の部分を覆うフード部２と、このフード部２に取り付けられた第１，２シート３，４と、フード部２に着脱可能に取り付けられる吸気装置５（図２参照）とから構成されている。吸気装置５は、バッテリーや小型ポンプを内蔵しているもので、このような吸気装置５は既によく知られている。ここで、「臥床」とは、図１に示すベッドＢのマットＭや、図２に示すストレッチャーＳのマットＭなどを含むとともに、感染症患者Ｋが寝かされるあらゆる部分、例えば、床、長いす、架台、或いはこれらに敷いた布団やマットなどを含む意味である。
【００１７】
隔離用フード装置１は、第１組み立て体１Ａと、第２組み立て体１Ｂとから構成されている。第１組み立て体１Ａは、図３から明らかなように半円形状の板状体から形成された支持板６と、この支持板６に固着された第１シート３とから構成されている。支持板６は、ほぼ直線的に延びる下端部６ａと、この下端部６ａの両端部を結び、該下端部６ａから離れる上方向へ凸となる円弧状端部６ｂとを有している。また、支持板６には、後述する吸気装置５から延びるホース５ａの先端部が取り付けられる開口部７が形成されている。この支持板６は、例えば、破損し難くかつ透明なポリカーボネートなどの合成樹脂材料から形成されることが好ましいが、比較的に強度のあるものであれば、どのような材料で形成されていてもよい。
【００１８】
第１シート３は、図１に示すようにマットＭよりも大きな幅寸法を有する矩形状のもので、マットＭ上に配置したとき、その幅方向へ延びる一方の端縁部３ａのほぼ中央部に支持板６の下端部６ａが固着されている。支持板６の下端部６ａと第１シート３とは、接着剤などで固着してもよく、又は支持板６を合成樹脂材料から形成する場合には溶着などによって固着することも好ましい。支持板６の円弧状端部６ｂには、例えば公知のホックのような係脱可能な雌雄一対の部材８ａ，８ｂを有する留め金具８からなる連結手段の一方の雌部材８ａが相互に所定の間隔をあけて多数取り付けられている。各雌部材８ａを支持板６の円弧状端部６ｂに取り付ける方法としては、支持板６の円弧状端部６ｂに凹部を形成して、この凹部に雌部材８ａを接着剤により固着して取り付けることができ、或いは支持板６が合成樹脂材料から形成される場合にはモールド成形により取り付けることもできる。第１シート３は、通気性又は非通気性のシートを使用することができるが、不織布の使用が好ましい。
【００１９】
第２組み立て体１Ｂは、不使用時には平坦な可撓性の覆い板９と、第２シート４とから構成されている。覆い板９は、支持板６の弧状端部６ａの長さに等しい幅寸法を有する矩形の変形可能な板状体で形成されている。この覆い板９は、透明なポリカーボネートなどの合成樹脂材料から形成されることが好ましいが、変形可能で強靱なものであれば、どのような材料で形成されていてもよい。覆い板９の幅方向へ延びる一端部９ａには、支持板６の弧状端部６ａに接続し得るように留め金具８における他方の雄部材８ｂが相互に所定の間隔をあけて多数取り付けられている。覆い板９の一端部９ａへの雄部材８ｂの取り付けは、前述した支持板６に雌部材８ａを取り付ける方法と同じ方法で行うことができる。覆い板９の一端部９ａを除く他の３つの端部９ｂ，９ｃ，９ｄには第２シート４が固着されている。
【００２０】
第２シート４は、図３から明らかなようにベッドＢやストレッチャーＳのマットＭに横たわる感染症患者Ｋの胸部から下方の部分を覆うことができる長さを有する矩形状を呈し、幅方向へ延びる一端部のほぼ中央部には、覆い板９より僅かに小さな幅寸法の矩形状の切り欠き部１０が形成されており、覆い板９がこの切り欠き部１０に整合するように配置されているとともに３つの端部９ｂ，９ｃ，９ｄが切り欠き部１０における対応する縁部に固着されている。切り欠き部１０における各縁部での第２シート４と覆い板９の各端部９ｂ，９ｃ，９ｄとは、接着剤又は支持板６を合成樹脂材料から形成する場合には溶着などによって固着することができる。
【００２１】
第２シート４における切り欠き部１０の奥行き寸法Ｌ１（図３参照）は、覆い板９の長さＬ２よりも長く、そのため、切り欠き部１０に覆い板９を整合させて３つの端部９ｂ，９ｃ，９ｄを切り欠き部１０のそれぞれ対応する各縁部に固着したとき、覆い板９の両サイドにおける第２シート４には、覆い板９の一端部９ａから延長して延びる仮想の線部分（図３に一点鎖線で示す）１１を越えて突出した張り出し部分４ａ，４ｂが形成される。これら張り出し部分４ａ，４ｂは、図１に示すように第１組み立て体１Ａと第２組み立て体１Ｂとを組み合わせて一体にしたとき、第１組み立て体１Ａの第１シート３と第２組み立て体１Ｂの第２シート４とが相互に重なる合わせ部として機能する。各張り出し部４ａ，４ｂおよびこれらが重なる第１シート３の部位のいずれかに布製接着テープなどを取り付けておき、相互に重ねられた各張り出し部４ａ，４ｂと第１シート３の部位とがしっかりと接続するようにしておくことも好ましい。
【００２２】
覆い板９における幅方向の側部には、図３に示すように円形の開口部１２と矩形の開口部１３とが形成されている。円形の開口部１２には介護者の手を通せるように多数の三角状フィン１４が該開口部１２を塞ぐように配列されて取り付けられており、また矩形の開口部１３にはＨＥＰＡフィルター１５が該開口部１３を塞ぐように取り付けられている。第２シート４も第１シート３と同様に通気性又は非通気性のシートを使用することができるが、不織布の使用が好ましい。
【００２３】
隔離用フード装置１は、第１組み立て体１Ａと、第２組み立て体１Ｂとを組み立てて形成される。すなわち、最初に、第１組み立て体１Ａにおける支持板６の下端部６ａをベッドＢやストレッチャーＳのマットＭに横たわる感染症患者Ｋの頭部近傍に幅方向へ延びるように置いて、支持板６がマットＭから立ち上がるように配置すると同時に、第２組み立て体１Ｂの覆い板９を感染症患者Ｋの胸部から上の部分を覆うように配置し、その一端部９ａを支持板６の弧状端部６ｂに重ね、支持板６の弧状端部６ｂにおける留め金具８の各雌部材８ａに、覆い板９の一端部における各雄部材８ｂを嵌め込んで連結する。
【００２４】
この結果、覆い板９の一端部９ａは、支持板６の弧状端部６ｂに沿って幅方向へ変形させられ、図１，２に示すようにほぼ半円筒状になって内部に感染症患者Ｋの胸部から上方の部分を収容する空間部１６を有するフード部２が形成される。覆い板９が、弾性変形可能な材料で形成されている場合、その一端部９ａが留め金具８により支持板６の弧状端部６ｂに連結されると、該一端部９ａは強制的に湾曲させられ、一端部９ａに対向する他端部９ｂは、覆い板９の弾性力により元の平坦な状態に戻ろうとする。そのため、図４に示すように、覆い板９の他端部９ｂにおいて覆い板９の変形状態を維持し得るように塑性変形する部材、例えば所定の太さの塑性変形可能な金属棒１７を覆い板９の他端部９ｂに幅方向に取り付けておくことが好ましい。
【００２５】
支持板６に固着されている第１シート３は、感染症患者Ｋが寝ている頭部側におけるマットＭの下に挟み込まれ、また覆い板９に固着されている第２シート４は、感染症患者Ｋの胸部より下方部分の上に掛けると共に幅方向へ延出している部分をマットＭの下に挟み込まれる。感染症患者Ｋが床などに臨時に寝かされているような場合には、床面に拡げておいてもよい。
【００２６】
次いで、支持板６に設けられている開口部７に吸気装置５から延びるホース５ａの先端部が嵌合装着され、吸気装置５に内蔵されているバッテリーによって小型ポンプが動かされ、フード部２における空間部１６内の空気が吸引され、空間部１６内が陰圧とされる。ホース５ａを介して排気された空間部１６内の空気は、吸気装置５に備えられているＨＥＰＡフィルター（図示せず）を介して清浄化されて大気に排出される。フード部２内の空気が吸引されて、空間部１６が陰圧にされることから、空間部１６には覆い板９の開口部１３からＨＥＰＡフィルター１５を介して大気が導入されると共に第１，２シート３，４が通気性の場合には、これらシート３，４を介しても空間部１６内に大気が入る。このようにフード部２内の空間部１６が陰圧にされるので、空間部１６内の空気が吸気装置５を介する排気通路以外の部位を介して外部へ流れ出ることはない。
【００２７】
この隔離用フード装置１を使用しないときには、留め金具８の雌部材８ａと雄部材８ｂとの係合を外し、支持板６と覆い板９との連結を解除して第１組み立て体１Ａと第２組み立て体１Ｂとをほぼ平坦に折り畳み、図５に示すように適当な収納箱１８に入れて保管する。この隔離用フード装置１では、このように不使用時には、折り畳んで収納箱に入れてコンパクトにしておくことができるため、例えば救急車などの搬送特殊車輌に常時積載しておくことができ、救急車が対象者の所在場所へ出向いたときに、隔離が必要と思われることが判明した場合でも、直ちに対応することができる。
【００２８】
前記した実施形態の隔離用フード装置１では、支持板６と覆い板９との連結手段を一対の雌雄部材８ａ，８ｂからなる留め金具８で構成した例についてのものであったが、連結手段しては、種々の構造のものを使用することができる。例えば、支持板６の弧状端部６ｂ又は覆い板９の一端部９ａのいずれかに粘着剤を塗布しておいて不使用時には剥離紙で保護しておき、使用時に剥離紙を取り外して、支持板６の弧状端部６ｂと覆い板９の一端部９ａとを重ねて接着するようにしてもよい。
【００２９】
また、前記した実施形態の隔離用フード装置１では、支持板６と覆い板９との連結手段を一対の雌雄部材８ａ，８ｂからなる留め金具８で構成し、雌部材８ａを支持板６の弧状端部６ｂにおける端面に取り付けた例についてのものであったが、図６に部分的に示すように、支持板６の弧状端部６ｂから板面に直交する一方向へ張り出したフランジ部６ｃを一体に形成し、このフランジ部６ｃの弧状面に前記した雌雄部材８ａ，８ｂのいずれか一方の部材を取り付けるようにすれば、支持板６の厚みを薄くすることができる。また、このフランジ部６ｃの弧状表面と覆い板９の一端部とを前記したように粘着剤で接着することもできる。
【００３０】
さらに、前記した実施形態の隔離用フード装置１では、感染症患者ＫをストレッチャーＳに乗せて搬送する場合、および病院のベッドＢに寝かせている場合について説明したが、本発明は、感染症患者Ｋに限定されるものではなく、例えば、放射性の塵埃が付着した対象者を所定の施設に搬送する場合や、該施設でベッドに寝かせている場合などにも放射性塵埃の飛散防止に使用することができる。さらにまた、前記した実施形態の隔離用フード装置１では、フード部２が対象者の胸部から上方の部分を収容することができるような大きさの支持板６や覆い板９を使用した例についてのものであったが、本発明はこれに限定されるものではなく、フード部２が対象者の少なくとも頸部から上方の部分を収容することができるものであればよい。
【００３１】
【発明の効果】
本発明に係る組み立て式の隔離用フード装置によれば、不使用時にはコンパクトに収納できる組み立て式としているため、救急車などに常時積載しておくことができ、救急車が対象者の所在場所へ出向いたときに隔離が必要であることが判明した場合でも、直ちに対応することができる。
【００３２】
また、本発明によれば、半円形状の支持板を用いることにより、覆い板を容易に湾曲させて対象者の頸部より上方部分を収容可能な空間部を形成することができるため、組み立て作業が非常に短時間かつ容易である、という効果を得ることができる。さらに、支持板と覆い板とを連結する手段として係脱可能な雌雄一対の部材からなる留め金具や粘着剤を用いることにより、フード部の形成、言い換えればこの隔離用フード装置の組み立てを非常に短時間かつ容易に行うことができる。
【図面の簡単な説明】
【図１】ベッドに寝かせた対象者を隔離用フード装置で隔離している状態の斜視図。
【図２】ストレッチャー上の対象者を隔離用フード装置で隔離している状態の側面図。
【図３】隔離用フード装置を組み立てる前の展開状態を示す斜視図。
【図４】第２組み立て体の別な例を示す組み立て前の展開状態を示す斜視図。
【図５】隔離用フード装置を折り畳んでコンパクトに収納した状態を示す斜視図。
【図６】隔離用フード装置を構成する支持板の別の例を部分的に示す斜視図。
【符号の説明】
１  組み立て式の隔離用フード装置
１Ａ  第１組み立て体
１Ｂ  第２組み立て体
２  フード部
３  第１シート
４  第２シート
５  吸気装置
６  支持板
６ａ  下端部
６ｂ  弧状端部
７  開口部
８  留め金具
８ａ  雌部材
８ｂ  雄部材
９  覆い板
９ａ  覆い板の一端部
９ｂ，９ｃ，９ｄ  覆い板の各周囲端部
１０  切り込み部
１６  フード部内の空間部
１７  塑性変形可能な金属棒（部材）
【図１】
2004344320.tif 000003
【図２】
2004344320.tif 000004
【図３】
2004344320.tif 000005
【図４】
2004344320.tif 000006
【図５】
2004344320.tif 000007
【図６】
2004344320.tif 000008